(57)【要約】【課題】扉の開放による不正行為が容易に行われることを防止する。【解決手段】回路は、発光素子１１と受光素子１２と、発光素子１１と受光素子１２と信号線で接続される制御基板１４とから構成されている。この制御基板１４は、発光素子１１へ特定パターンを備える第１パターン信号である発光信号を送信するとともに、受光素子１２からの特定パターンを備える第２パターン信号である受光信号を受信し、発光信号と受光信号とのパターンのマッチングを確認し、このマッチングが不一致と判断する場合には、扉開放信号であるガラス枠開放信号を出力する。さらに制御基板１４は複数種類の特定パターンを備える。【選択図】        図３
2006271448.tif 000002
【特許請求の範囲】
【請求項１】
遊技機本体に装着された前面枠と、
該前面枠に対し開閉可能に装着された扉と、
光を発光する発光部と、
該発光部からの光を受光する受光部と、
前記発光部及び受光部と信号線で接続される制御基板と、を備え、
前記発光部及び受光部は、各々、前記前面枠又は扉のいずれかに設けられ、
前記制御基板は、
前記発光部へ特定パターンを備える第１パターン信号を送信するとともに、前記受光部からの特定パターンを備える第２パターン信号を受信し、
前記第１パターン信号と前記第２パターン信号とのパターンのマッチングを確認し、該マッチングが不一致と判断する場合には、扉開放信号を出力し、
さらに前記制御基板は複数種類の前記特定パターンを備えることを特徴とする遊技機の扉開放検知装置。
【請求項２】
前記制御基板の前記特定パターンは、前記第１パターン信号の周期又は周波数によって作成される請求項１の遊技機の扉開放検知装置。
【請求項３】
前記制御基板は、前記複数種類の特定パターンを所定時間毎又はランダムに決定される期間毎に切り替える請求項１又は２の遊技機の扉開放検知装置。
【発明の詳細な説明】
【技術分野】
【０００１】
本発明は、前面枠、及び扉を備えた遊技機の扉開放検知装置、特に、扉の不正開放を検知し、これに伴なう不正行為を未然に防止する遊技機の扉開放検知装置に関する。
【背景技術】
【０００２】
従来、特許文献１に記載の考案のように、スイッチの前面から出没自在な検知部を遊技盤取付枠により、検知部が出状態が没状態かを検知することにより、圧力扉の開閉状態を検知する遊技機が一般的である。即ち、ガラス扉枠が閉鎖状態であるときには、ガラス扉枠により検知部が押さえられてオフ状態として検知され、ガラス扉枠が開放状態であるときには、検知部が押さえられることはないのでオン状態として検知される。
【特許文献１】実開平０７−２４３８４号公報
【発明の開示】
【発明が解決しようとする課題】
【０００３】
しかしながら、前記した特許文献１では、検知部が遊技盤取付枠に設けられ、不正行為者が手で検知部を押さえながらガラス扉枠を開放状態することにより、ガラス扉枠が閉鎖状態であると遊技機側に誤認させることで、ガラス扉枠の開放による不正行為を容易に行うことができる。
【０００４】
本発明は上記点に鑑みてなされたもので、扉の開放による不正行為が容易に行われることを防止することを課題とする。
【課題を解決するための手段】
【０００５】
まず、扉の開閉状態を検知する為に、扉側に受光素子、前面枠又は遊技機本体側に発光素子を設けて、扉が閉鎖状態であるときには、前記受光素子が前記発光素子から受光することにより、閉鎖状態であることを検知し、扉が開放状態であるときには、前記受光部が前記発光部からの光を受光しないことにより、開放状態であることを検知することも考えられる。しかしながら、扉が開放状態のときに、不正行為者が発光素子と同様の光を発する代替光源持ち、受光素子に代替光源の光を意図的に受光させることで、扉が実際には開放状態であるにもかかわらずに閉鎖状態であると遊技機側に誤認させることで、扉開放による不正行為を容易に行うことができる。
【０００６】
そこで、上記目的を達成するため、請求項１に記載の発明は、遊技機本体に装着された前面枠と、該前面枠に対し開閉可能に装着された扉と、光を発光する発光部と、該発光部からの光を受光する受光部と、前記発光部及び受光部と信号線で接続される制御基板と、を備え、前記発光部と受光部は、各々、前記前面枠又は扉のいずれかに設けられ、前記制御基板は、前記発光部へ特定パターンを備える第１パターン信号を送信するとともに、前記受光部からの特定パターンを備える第２パターン信号を受信し、前記第１パターン信号と前記第２パターン信号とのパターンのマッチングを確認し、該マッチングが不一致と判断する場合には、扉開放信号を出力し、さらに前記制御基板は複数種類の前記特定パターンを備えることを特徴とする遊技機の扉開放検知装置である。
【０００７】
ここでいう「扉」は、遊技盤を視認する為の透過性のガラス扉を用いるのが好適である。「制御基板」は、主制御基板、副制御基板、又は防犯専用の基板いずれでもよい。副制御基板は、主制御基板と接続される、主制御基板以外の全ての基板を含む。例えば、賞球制御基板、発射制御基板、画像制御基板等が挙げられる。発光部及び受光部の配置については、前記扉に発光部、前記前面枠に受光部を設ける構成、或いは、前記扉に受光部、前記前面枠に発光部を設ける構成のいずれでもよい。
【０００８】
前記特定パターンの例としては、前記第１パターン信号及び第２パターン信号が規定時間毎に断続する構成が挙げられる。例えば、発光素子の発光時間を所定設定期間又は任意期間毎にオンオフさせる構成が挙げられる。また、光の周波数を変更する構成もある。例えば、２種類の値の周波数を持つ信号を交互に切り替える構成例が考えられる。尚、前記した構成例では、２種類の信号を切替える構成を説明したが、信号の種類は上記数に限定されない。
【０００９】
請求項２に記載の発明において、前記制御基板の前記特定パターンは、前記第１パターン信号の周期又は周波数によって作成される。周期単独、周波数単独或いはそれらの組み合わせによって特定パターンが作成される構成が挙げられる。前記特定パターンの変更は所定時間毎でもよいし、乱数によってランダムに複数の期間から選択する構成でもよい。複数種類の前記特定パターンを切り替えることで不正行為を防止する。
【００１０】
請求項３に記載の発明において、前記制御基板は、前記複数種類の特定パターンを所定時間毎又はランダムに決定される期間毎に切り替える。
【００１１】
例えば、制御基板が、所定期間の中から適当な期間をランダムに抽出し（例えば、乱数抽選によって期間を決定するなど）、先ず、ある１つの周波数を持つ特定パターンである第１パターン信号を設定して送信する。前記抽出した期間が経過すると判定されると、前記特定パターンを変更する。例えば、第１パターン信号及び第２パターン信号を別の周波数を持つ特定パターンに切替える。特定パターンを切替えた後には、更に制御基板が適宜の期間をランダムに抽出し、該抽出した期間が経過すると、更に前回切替えた特定パターン以外の周波数を持つ特定パターンに切替える構成例が挙げられる。前述の構成例では、例えば、制御基板が適当な期間をランダムに決定するとする構成としたが、所定期間を設定しておき、所定期間経過毎に特定パターンを交互又は順番に変更してもよい。
【発明の効果】
【００１２】
請求項１〜３の発明によれば、扉開放による不正行為が容易に行われることを防止するという効果がある。即ち、不正行為者が、扉開放状態であるにも拘わらず、遊技機側で扉が閉鎖状態であると誤認させる為には、制御基板に特定パターンを備えた第１パターン信号と第２パターン信号とのパターンのマッチングを一致させることが必要であるが、扉の開閉に関し、どの種類の特定パターンが使用されているのかを不正行為者が把握することが困難だからである。特定パターンには複数種類あるので、適宜変更される構成とすることで、不正行為は一層困難である。
【００１３】
請求項２の発明によれば、簡素な構成によって一層不正行為が困難になる。
【００１４】
請求項３の発明によれば、前記制御基板は、前記複数種類のパターン信号を所定時間毎又はランダムに決定される期間毎に切り替えるので、不正防止の精度をより一層増すことができる。
【発明を実施するための最良の形態】
【００１５】
以下に、本発明の好適な実施形態について図面を参照して説明する。尚、本発明の実施の形態は、下記の各実施形態に何ら限定されるものではなく、本発明の技術的範囲に属する限り種々の形態を採り得ることは無論である。
【００１６】
パチンコ遊技機１は、図１に示す通り、前面枠２、ガラス枠３、機枠４、操作ハンドル５、上皿６、下皿７、遊技盤８、電飾装置９等から構成されている。また、センター役物（図示略）が遊技盤８上の中央に設けられており、センター役物の下方には始動入賞口（図示略）が設けられ、その下方には大入賞口（図示略）が設けられている。
【００１７】
前面枠２は、パチンコ遊技機１の前面に装着されるものであり、該前面枠２の前面側には、ガラス枠３が開閉可能に装着されている。ガラス枠３は、図１に示すように、光透過性であり、遊技者がガラス枠３を通して、遊技盤８を視認することが出来るようになっている。更に、図２に示すように、ガラス枠３には光を発光するための発光素子１１が、前面枠２には発光素子１１からの光を受光するための受光素子１２が設けられている。尚、発光素子１１及び受光素子１２の配置場所、形状等は図２に示すものに限定されない。
【００１８】
センター役物内に設けられた表示部（図示略）は液晶によって構成され、種々の画像が表示される。即ち、始動入賞口（図示略）に遊技球が入賞すると、表示部における表示が所定の時間の間変動表示され、その後、最終的な図柄が静止表示される。静止表示された図柄には「当たり」と「外れ」があり、「当たり」の場合（例えば「７７７」）には、大入賞口が所定の回数開くようにされている。例えば、１６回開き、１回当たり１０個の遊技球が入球するまで開いたままとなる。そして、１個の遊技球の入賞に対して、１５個の遊技球が賞球として賞球払い出し装置（図示略）から払い出される。
【００１９】
次に、本実施形態のパチンコ遊技機１の扉開放検知装置の回路構成を図３を参照して説明する。この回路は、発光素子１１と受光素子１２と、発光素子１１と受光素子１２と信号線で接続される制御基板１４とから構成されている。発光素子１１はＬＥＤランプ、受光素子１２はＬＥＤ光を検知する光検知素子が挙げられる。ガラス枠３が閉じているときに、受光素子１２は発光素子１１からの光を受光するようになっている。発光素子１１は制御基板１４の出力回路（図示略）と接続され、受光素子１２は制御基板１４の入力回路（図示略）と接続される。この制御基板１４は遊技の制御を司るＣＰＵ，ＲＯＭ，ＲＡＭ等を備える主制御基板が一例として挙げられる。制御基板１４は、発光素子１１へ特定パターンを備える第１パターン信号である発光信号を送信するとともに、受光素子１２からの特定パターンを備える第２パターン信号である受光信号を受信し、発光信号と受光信号とのパターンのマッチングを確認し、このマッチングが不一致と判断する場合には、扉開放信号であるガラス枠開放信号を出力する。
【００２０】
制御基板１４は２種類の特定パターンを備えている。発光信号の断続の規定時間Ｔ1が特定パターンを示すが、ここでは、２分の規定時間と４分の規定時間に設定してある。これらの特定パターンの切替は、図４に示す通り、所定時間毎でもよいし、乱数によってランダムに複数の期間から選択する構成でもよい。ここで不正行為者は、ガラス枠３を開放するとともに、受光素子１２に、発光素子１１とは別の光源（例えば、ライト、発光素子等）の光を当て、あたかもガラス枠３が閉じているように誤認させようとする。しかしながら、図４に示す通り、不正行為者の不正行為による期間Ｔ2〜Ｔ5に示す不定周期、即ち、ＯＮ期間とＯＦＦ期間のパターンのマッチングが不一致となることにより、ガラス枠開放信号をＯＮとし、これを出力する構成である。
【００２１】
本実施形態において、制御基板１４がガラス枠３の開閉状態を判断するガラス枠の扉開放検出処理について図５のフローチャートを用いて説明する。制御基板１４が発光素子１１を規定時間Ｔ1でＯＮ・ＯＦＦを繰り返すことで、特定のパターンを作成し、不正行為を防止する。以下、ステップをＳと略記する。前記処理が開始されると、先ず、発光素子１１をＯＮ状態とする処理が行われる（Ｓ１００）。Ｓ１００に続く処理では、制御基板１４が受光信号を検出しているか否かを判定する（Ｓ１１０）。Ｓ１１０で否定判定が為されると、ガラス枠開放信号がＯＮ状態とされ不正にガラス枠３を不正に開放したと判断する（Ｓ１２０）。Ｓ１１０で肯定判定が為されると、規定時間Ｔ1が経過したか否か判定される（Ｓ１３０）。ここで否定判定が為されると、前述のＳ１１０の処理を再度行うことになる。Ｓ１３０で肯定判定が為されると、発光素子１１をＯＦＦ状態とする（Ｓ１４０）。Ｓ１４０に続く処理では、制御基板１４が受光信号を検出しているか否かを判定する（Ｓ１５０）。Ｓ１５０で肯定判定が為されると、ガラス枠開放信号がＯＮ状態とされ不正にガラス枠３を不正に開放したと判断する（Ｓ１２０）。Ｓ１５０で否定判定が為されると、規定時間が経過したか否か判定される（Ｓ１６０）。Ｓ１６０において否定判定が為されると、前述のＳ１５０の処理を再度行うことになる。Ｓ１６０において肯定判定が為されると、ガラス枠開放信号がＯＦＦ状態とされ、ガラス枠３が閉鎖状態であると判断される（Ｓ１７０）。尚、Ｓ１２０、又はＳ１７０の処理を終えると、前述のＳ１００の処理まで戻り、再度繰り返し処理が行われることになる。なお、特定パターンである発光信号の規定時間Ｔ1を２分と４分で所定時間毎に切り換えるが、ランダムに決定される期間毎に切り換えることもできる。
【００２２】
前記例では発光信号及び受光信号が周期Ｔ1で信号がＯＮとＯＦＦを繰り返す特定パターンとし、周期Ｔ1を所定時間毎に変更することにしたが、発光信号の周波数を所定期間毎に変更することにより、特定パターンを複数種類備えるようにしてもよい。例えば、１００Ｈzの周波数を持つ発光信号と、１５０Ｈzの周波数を持つ発光信号を交互に切り替える構成例がある。これにより、発光信号及び受光信号が制御基板１４において設定された前記の特定周波数と合致する場合にのみガラス枠３が閉鎖状態であることを検知し、ガラス枠開放信号をＯＦＦとする構成としても良い。例えば、発光信号が１００Ｈzであり、且つ受光信号が１５０Ｈzであった場合にガラス枠３が開放状態であることを検知するように設定することが挙げられる。
【００２３】
別の例では、制御基板１４は、３種類の周波数に対応する３種類の特定パターンを発光信号が備えるよう設定する。即ち、制御基板１４が、所定期間例えば１分〜５分の中から適当な期間を乱数抽選によってランダムに抽出し、先ず、１００Ｈzの周波数を持つ発光信号を設定する。前記抽出した期間が経過すると判定されると、発光信号を１５０Ｈzの周波数を持つ特定パターンに切り換える。特定パターンを切り換えた後には、更に制御基板１４が例えば１分〜５分の中から適当な期間をランダムに抽出し、該抽出した期間が経過すると、２００Ｈzの周波数を持つ特定パターンに切替える構成例が挙げられる。前述の構成例では、例えば、制御基板が１分〜５分の中から適当な期間をランダムに決定する構成としたが、所定期間（例えば２分）を設定しておき、所定周期経過毎に３種類の特定パターンを順番に変更してもよい。
【００２４】
以上説明した実施形態によれば、前面枠２とガラス枠３にそれぞれに受光素子１２と発光素子１１とを別個に分離して設けるとともに、発光信号の周期又は周波数の種類が相違する複数種類の特定パターンを備え、所定時間経過毎などにより特定パターンを変更するので、制御基板１４がどの周期又はどの周波数の特定パターンを使用しているのかを不正行為者が把握し難く、不正行為者が、ガラス枠３が開放状態であるにも拘わらず、制御基板１４に発光信号と受光信号の特定パターンのマッチングを一致させることによって制御基板１４に対してガラス枠３が閉鎖状態であると誤認させることは極めて至難の業である。その結果、不正行為者が不正行為を行い難いのである。
【００２５】
また前述した規定時間をランダムに決定すれば、不正防止の精度をより一層増すことができる。即ち、ガラス枠３の開閉に関し、どの種類の特定パターンが使用されているのかを不正行為者が把握することがより難しくなる。
【図面の簡単な説明】
【００２６】
【図１】本発明実施形態を採用したパチンコ機１を示す正面図である。
【図２】本発明実施形態を採用したパチンコ機１の扉開放状態時の状態を示す斜視図である。
【図３】本発明実施形態における扉開放検知装置の発光素子１１、受光素子１２及び制御基板１４から構成される回路図である。
【図４】本発明実施形態における発光素子１１及び受光素子１２の信号例である。
【図５】本発明実施形態における扉開放検出処理を示すフローチャートである。
【符号の説明】
【００２７】
１・・・パチンコ遊技機  ２・・・前面枠  ３・・・ガラス枠  １１・・・発光素子
１２・・・受光素子  １４・・・制御基板
【図１】
2006271448.tif 000003
【図２】
2006271448.tif 000004
【図３】
2006271448.tif 000005
【図４】
2006271448.tif 000006
【図５】
2006271448.tif 000007